(57)【要約】【課題】機器本体の収容凹部へ電子部品を収容し又はそこから取り出す際に発生する電子部品の端子部又はコネクタの破壊を防止する。【解決手段】機器本体１に取り付けるための取付部材９に保持され一側端部に端子部７を具備したＨＤＤ３と、機器本体１に形成されたＨＤＤ３の収容凹部２と、該収容凹部２の一側壁２ｃに設けられＨＤＤ３の端子部７に挿抜可能に嵌合するコネクタ４と、を備え、収容凹部２にＨＤＤ３を収容及び取出し可能にした電子機器であって、収容凹部２へＨＤＤ３を収容し又はそこから取り出す際に、ＨＤＤ３の取付部材９に係合して収容凹部２の底面２ｅに対するＨＤＤ３の傾斜角度を所定値以下に規制する角度規制手段５を収容凹部２に設けたものである。【選択図】図２
2008277224.tif 000002
【特許請求の範囲】
【請求項１】
一側端部に端子部を具備した電子部品と、機器本体に形成された電子部品の収容凹部と、該収容凹部の一側壁に設けられ前記電子部品の端子部に挿抜可能に嵌合するコネクタと、を備え、前記収容凹部に前記電子部品を収容及び取出し可能にした電子機器であって、
前記収容凹部へ電子部品を収容し又はそこから取り出す際に、前記電子部品に係合して前記収容凹部の底面に対する前記電子部品の傾斜角度を所定値以下に規制する角度規制手段を前記収容凹部に設けたことを特徴とする電子機器。
【請求項２】
前記角度規制手段は、前記収容凹部の底面から所定量だけ突設された基部と、該基部から前記コネクタ側とは反対方向に所定量だけ延びて形成され、前記電子部品に設けられた係合穴の縁部に係合して前記電子部品の傾斜角度を規制する係止部とを備えたことを特徴とする請求項１記載の電子機器。
【請求項３】
前記角度規制手段は、前記収容凹部への電子部品の収容又は取出し方向に平行な収容凹部の両側壁に設けられ、前記収容又は取出し方向に平行な電子部品の両側面から外方に突設された一対のガイド片に係合して前記電子部品の傾斜角度を規制するガイド部であることを特徴とする請求項１記載の電子機器。
【請求項４】
機器本体に取り付けるための取付部材に保持され一側端部に端子部を具備した電子部品と、前記機器本体に形成された電子部品の収容凹部と、該収容凹部の一側壁に設けられ前記電子部品の端子部に挿抜可能に嵌合するコネクタと、を備え、前記収容凹部に前記電子部品を収容及び取出し可能にした電子機器であって、
前記収容凹部へ電子部品を収容し又はそこから取り出す際に、前記電子部品の取付部材に係合して前記収容凹部の底面に対する前記電子部品の傾斜角度を所定値以下に規制する角度規制手段を前記収容凹部に設けたことを特徴とする電子機器。
【請求項５】
前記角度規制手段は、前記収容凹部の底面から所定量だけ突設された基部と、該基部から前記コネクタ側とは反対方向に所定量だけ延びて形成され、前記取付部材に設けられた係合穴の縁部に係合して前記電子部品の傾斜角度を規制する係止部とを備えたことを特徴とする請求項４記載の電子機器。
【請求項６】
前記角度規制手段は、前記収容凹部への電子部品の収容又は取出し方向に平行な収容凹部の両側壁に設けられ、前記収容又は取出し方向に平行な取付部材の両側部から外方に突設された一対のガイド片に係合して前記電子部品の傾斜角度を規制するガイド部であることを特徴とする請求項４記載の電子機器。
【請求項７】
前記コネクタは、前記収容凹部の一側壁にて該収容凹部の開口部側の端部が前記機器本体に回動可能に保持され、底面側の端部が自由端とされた保持部材に保持されていることを特徴とする請求項１又は４記載の電子機器。
【請求項８】
前記保持部材に対応する収容凹部の底面には、前記保持部材の自由端を挿入させて所定角度以上の回動を規制する回動規制穴が設けられていることを特徴とする請求項７記載の電子機器。
【発明の詳細な説明】
【技術分野】
【０００１】
本発明は、コネクタと電子部品の端子部とを嵌合させて収容凹部に電子部品を収容及び取出し可能とした電子機器に関し、詳しくは、収容凹部へ電子部品を収容し又はそこから取り出す際に発生する電子部品の端子部又はコネクタの破壊を防止しようとした電子機器に係るものである。
【背景技術】
【０００２】
従来のこの種の電子機器は、回路基板に形成した導電パターンと接続する、複数本の端子を取付けた基部と、該基部の両端から、回路基板に平行に延設する一対の腕部とを有するハウジングと、該ハウジングの両側部に挿抜するＩＣカードの挿入を案内する一対のガイド部を有し、ハウジングに取り付け可能なフレームとを備え、ハウジングの腕部の両側部に係合溝を形成し、フレームには、ガイド部の先端にそれぞれ係合片が一体に延設され、ガイド部の他端側には支持脚部が取付けられ、回路基板に取付けられたハウジングにフレームを取り付ける際に、フレームを回路基板及びハウジングに対して斜めに傾けた状態にして、ハウジングの係合溝にフレームの係合片を挿入して、フレームを回路基板に対して水平となるように押し下げて、回路基板に支持脚部を当接し、係合溝内に係合片を嵌着するようにしたＩＣカード用コネクタを備えたものとなっていた（例えば、特許文献１参照）。
【特許文献１】特開２００２−７５４９６号公報
【発明の開示】
【発明が解決しようとする課題】
【０００３】
しかし、このような従来の電子機器においては、ハウジングの係合溝に対してフレームの係合片を斜めに挿入し、又は斜め方向に引き抜く際に、ハウジングの係合溝に対するフレームの傾斜角度を規制する手段を備えていないので、例えばフレームを引く抜く際に、ハウジングの係合溝に対するフレームの係合片の傾斜角度が大きく成り過ぎて、ハウジング又はフレームの係合片が破損するおそれがあった。
【０００４】
したがって、このような従来技術を、電子機器の端子部とコネクタとの嵌合に適用したとしても、例えば電子部品の端子部をコネクタから引く抜く際に、コネクタの係合溝に対する電子部品の端子部の傾斜角度が大きく成り過ぎるのを規制することができず、電子部品の端子部又はコネクタの破損事故を抑制することができない。
【０００５】
そこで、本発明は、このような問題点に対処し、収容凹部へ電子部品を挿入又はそこから取出す際に発生する電子部品の端子部又はコネクタの破壊を防止しようとした電子機器を提供することを目的とする。
【課題を解決するための手段】
【０００６】
上記目的を達成するために、第１の発明による電子機器は、一側端部に端子部を具備した電子部品と、機器本体に形成された電子部品の収容凹部と、該収容凹部の一側壁に設けられ前記電子部品の端子部に挿抜可能に嵌合するコネクタと、を備え、前記収容凹部に前記電子部品を収容及び取出し可能にした電子機器であって、前記収容凹部へ電子部品を収容し又はそこから取り出す際に、前記電子部品に係合して前記収容凹部の底面に対する前記電子部品の傾斜角度を所定値以下に規制する角度規制手段を前記収容凹部に設けたものである。
【０００７】
このような構成により、機器本体に形成された収容凹部へ電子部品を収容し又はそこから取り出す際に、収容凹部に設けられた角度規制手段に電子部品を係合させて、収容凹部の底面に対する電子部品の傾斜角度を所定値以下に規制し、電子部品の端子部をコネクタに対して挿抜する。
【０００８】
また、第２の発明による電子機器は、機器本体に取り付ける取付部材に保持され一側端部に端子部を具備した電子部品と、機器本体に形成された電子部品の収容凹部と、該収容凹部の一側壁に設けられ前記電子部品の端子部に挿抜可能に嵌合するコネクタと、を備え、前記収容凹部に前記電子部品を収容及び取出し可能にした電子機器であって、前記収容凹部へ電子部品を挿入し又はそこから取り出す際に、前記電子部品の取付部材に係合して前記収容凹部の底面に対する前記電子部品の傾斜角度を所定値以下に規制する角度規制手段を前記収容凹部に設けたものである。
【０００９】
このような構成により、機器本体に形成された収容凹部へ電子部品を収容し又はそこから取り出す際に、収容凹部に設けられた角度規制手段に電子部品を機器本体に取り付ける取付部材を係合させて、収容凹部の底面に対する電子部品の傾斜角度を所定値以下に規制し、電子部品の端子部をコネクタに対して挿抜する。
【発明の効果】
【００１０】
請求項１に係る発明によれば、収容凹部へ電子部品を収容し又はそこから取り出す際の収容凹部の底面に対する電子部品の傾斜角度が所定値以下に規制されるので、電子部品の傾斜角度がおおきくなり過ぎて、電子部品の端子部又はコネクタに大きな応力が発生し、それらが破壊するのを防止することができる。また、角度規制手段により電子部品の傾斜角度が規制されて小さくなるので、コネクタへの電子部品の端子部の挿抜を容易に行なうことができる。
【００１１】
また、請求項２に係る発明によれば、角度規制手段の係止部に電子部品に設けられた係合穴の縁部を係合させて電子部品の傾斜角度を規制することができる。
【００１２】
さらに、請求項３に係る発明によれば、収容凹部への電子部品の収容又は取出し方向に平行な収容凹部の両側壁に設けられガイド部に上記収容又は取出し方向に平行な電子部品の両側面から外方に突設された一対のガイド片を係合させて電子部品の傾斜角度を規制することができる。
【００１３】
また、請求項４に係る発明によれば、収容凹部へ電子部品を収容し又はそこから取り出す際の収容凹部の底面に対する電子部品の傾斜角度が所定値以下に規制されるので、電子部品の傾斜角度がおおきくなり過ぎて、電子部品の端子部又はコネクタに大きな応力が発生し、それらが破壊されるのを防止することができる。さらに、角度規制手段により電子部品の傾斜角度が規制されて小さくなるので、コネクタへの電子部品の端子部の挿抜を容易に行なうことができる。そして、電子部品が別部材から成る取付部材に保持されるので、汎用の電子部品を使用することができ、コスト低減を図ることができる。
【００１４】
さらに、請求項５に係る発明によれば、角度規制手段の係止部に電子部品の取付部材に設けられた係合穴の縁部を係合させて電子部品の傾斜角度を規制することができる。
【００１５】
そして、請求項６に係る発明によれば、収容凹部への電子部品の収容又は取出し方向に平行な収容凹部の両側壁に設けられガイド溝に上記収容又は取出し方向に平行な電子部品取付部材の両側部から外方に突設された一対のガイド片を係合させて電子部品の傾斜角度を規制することができる。
【００１６】
また、請求項７に係る発明によれば、コネクタに対する電子部品の端子部の挿抜時に、コネクタが電子部品の傾斜角度に倣って回動するので、コネクタに対する電子部品の端子部の挿抜角度を常に略ゼロにすることができる。したがって、汎用のコネクタを使用することができ、コスト低減を図ることができる。
【００１７】
そして、請求項８に係る発明によれば、コネクタに対する電子部品の端子部の挿抜時に、コネクタが所定角度以上に回動するのを規制することができ、コネクタを保持する保持部材の破壊を防止することができる。また、コネクタから端子部を抜き取る際には、コネクタの回動が所定角度以内に規制されてコネクタが固定状態となるので、端子部の抜き取りが容易になる。
【発明を実施するための最良の形態】
【００１８】
以下、本発明の実施形態を添付図面に基づいて詳細に説明する。図１は本発明による電子機器の実施形態を示す斜視図であり、（ａ）は表面側から見た図、（ｂ）は裏返して裏面側から見た図である。また、図２は本発明の電子機器を裏返して裏面側から見た斜視図であり、収容凹部に対する電子部品、及びカバーの関係を分解して示した説明図である。この電子機器は、周囲が側壁に囲まれた収容凹部の一側壁に設けられたコネクタと電子部品の端子部とを嵌合させて上記収容凹部に電子部品を収容可能としたもので、機器本体１と、収容凹部２と、電子部品３と、コネクタ４と、角度規制手段５と、カバー６とを備えている。なお、以下の説明においては、電子機器がノート型のパーソナルコンピュータ（以下「ノートパソコン」という）であり、電子部品３がハードディスクドライブ（以下「ＨＤＤ」という）である場合について述べる。
【００１９】
上記機器本体１は、表示部、キーパッド、ＨＤＤ３、ＤＶＤドライブ、バッテリー、及び各種回路基板等を保持するものであり、筐体を成すものである。
【００２０】
上記機器本体１の裏面側には、図２に示すように、収容凹部２が形成されている。この収容凹部２は、後述の平板状のＨＤＤ３を収容するものであり、デザイン性から同図に示すように収容凹部２の周囲に側壁２ａ，２ｂ，２ｃ，２ｄが設けられており、ＨＤＤ３を収容凹部２の側壁側から水平に挿入し又は取り出すことができないようになっている。また、収容凹部２は、ノートパソコンの小型化の要請から、ＨＤＤ３を収容凹部２内で水平方向にスライドさせて、コネクタ４に対して挿抜するのに十分なスペースが確保できないものとなっている。具体的には、図３に示すように、後述のコネクタ４に対するＨＤＤ３の端子部７の挿抜距離Ｌ１（例えば、約７ｍｍ）に対して、ＨＤＤ３の水平移動可能な距離Ｌ２は、小さく（Ｌ２＜Ｌ１）設計されている。因みに、図３は、収容凹部２に保持部材９と共に収容されているＨＤＤ３を矢印Ａと平行な方向で切り取った断面図である。そして本来ならば、ＨＤＤ３に隠れて見えない角度規制手段５及び係合穴１１は、便宜上、透過して見えるように表されている。
【００２１】
上記収容凹部２には、収容及び取出し可能にＨＤＤ３が収容されている。このＨＤＤ３は、ノートパソコンの駆動ソフトや各種データを保存するものであり、機器本体１に取り付けるための取付部材９に保持されている。このＨＤＤ３には、図４（ｂ）に示すように、一側端部３ａの下部に後述のコネクタ４と嵌合する端子部７が設けられており、同図（ａ）に示すように該端子部７の長手方向の両側部にはコネクタ４に設けたガイド凸部１６（図６参照）と嵌合して端子部７をコネクタ４に対して位置決めするガイド凹部８が設けられている。
【００２２】
上記取付部材９は、図５に示すように板金を所定形状に打ち抜いて各部を折り曲げ加工したものであり、図２に示すように例えば二台のＨＤＤ３を保持することができるように成っている。この取付部材９には、図５（ａ）に示すように、ＨＤＤ保持領域１０外に後述の角度規制手段５の係止部２９（図３参照）が挿入される係合穴１１が形成されている。さらに、収容凹部２への挿入方向を示す矢印Ａに平行な両側部には、それぞれ一対の突出片１２が外方に突出して設けられており、その中央部には穴１３が形成されて、該穴１３にねじ３０（図２参照）を挿通させて取付部材９を機器本体１に固定できるようになっている。なお、一対の突出片１２のうちコネクタ４側（矢印Ａ方向側）の突出片１２は、コネクタ４の後述の保持部材１８と共に機器本体１に共締めするために使用され、ねじの数を減らすことができるようになっている。
【００２３】
上記収容凹部２の側壁２ｃには、コネクタ４が設けられている。このコネクタ４は、ＨＤＤ３の端子部７と嵌合して図示省略の回路部とＨＤＤ３との間の電気信号の授受を仲立ちするものであり、図６に示すように、一列に並んだ複数の接触子１４と、保持部１５と、一対のガイド凸部１６とを備えており、ＨＤＤ３の端子部７と水平に嵌合する汎用のコネクタである。そして、図３に示すように基板１７に固定され、さらに収容凹部２の一側壁２ｃにて収容凹部２の開口部側の端部が機器本体１に回動可能に保持され、底面２ｅ側の端部が自由端とされた保持部材１８に取り付けられている。
【００２４】
上記複数の接触子１４は、ＨＤＤ３の端子部７に接触して通電するものであり、導電性の良い金属で形成されている。また、保持部１５は、接触子１４を保持するもので樹脂成型されたものである。さらに、ガイド凸部１６は、複数の接触子１４の並び方向両側部に設けられており、図７に示すように、ＨＤＤ３のガイド凹部８に嵌合してコネクタ４とＨＤＤ３の端子部７との位置決めをするもので、保持部１５と共に一体成形されている。そして、ガイド凸部１６の先端は、先細となるようにテーパ状に形成されており、ＨＤＤ３の端子部７とコネクタ４との位置がずれている場合にも、ＨＤＤ３のガイド凹部８の縁部がコネクタ４のガイド凸部１６の先端のテーパ部１３ａに当接してガイド凸部１６がガイド凹部８の中心位置に導かれるようになっている。
【００２５】
ここで、上記保持部材１８は、例えば板金を所定形状に打ち抜いて各部を折り曲げて形成されたものであり、図８に示すように、基部１９と、固定片２０と、一対の突出片２１と、一対の回動角規制片２２とから成っている。上記基部１９は、収容凹部２の側壁２ｃに対応して所定の幅で横に長く伸びて形成されており、上記コネクタ４の基板１７が同図（ａ）に示す例えば三つのねじ穴３４にねじで取り付けられるようになっている。なお、同図（ａ）に示す基部１９の切欠部１９ａは、図示省略の回路部に繋がるケーブルとコネクタ４の基板１７に設けられた図示省略の接続端子との接続を可能にするためのものである。
【００２６】
また、基部１９の中央部には、図８（ａ）に示すように突出して固定片２０が設けられており、同図（ｂ）おいて所定幅で所定量だけ上方に延びて、その先端部が直角に折り曲げられて形成されている。そして、その中央部には、同図（ｃ）に示すように、穴２３が形成されている。この穴２３には、図３に示すように、機器本体１に設けられ直径が穴２３の直系寸法よりも小さく、背丈が上記突出片１２の厚み寸法よりも高い円形突部２４が挿通され、保持部材１８の動きが所定の許容範囲内で自在とされている。なお、上記円形突部２４の上端部には、保持部材１８が円形突部２４から抜け落ちるのを防止すると共に保持部材１８の動きの自由度を調整するためのねじ２５が取り付けられている。
【００２７】
さらに、基部１９の両端部には、図８（ｃ）に示すように、上記固定片２０の折り曲げ方向と反対方向に直角に折り曲げられた折曲部２５が形成されている。この折曲部２５は、その折り曲げられた部分の角部に同図において上端から下端に向かう所定長さの切り込みが形成され、上端部が外方に直角に折り曲げられて突出片２１とされている。そして、その突出片２１の中央部には、コネクタ４をＨＤＤ３の取付部材９と共に機器本体１に共締めするための穴２６が形成されている。
【００２８】
そして、図８（ａ）に示すように、同図において基部１９の下端部には、中心線対称位置に保持部材１８の回動角度を規制する一対の回動角規制片２２が突出して設けられている。そして、この回動角規制片２２は、図３に示すように、保持部材１８に対応して収容凹部２の底面２ｅに設けられた所定幅の回動規制穴２７に挿入されて、保持部材１８が所定角度以上回動するのを規制できるようになっている。
【００２９】
収容凹部２の底面２ｅの中央部にてＨＤＤ３の挿入方向後端部側には、図２に示すように、角度規制手段５が設けられている。この角度規制手段５は、収容凹部２へＨＤＤ３を矢印Ａ方向に挿入し又はそこから矢印Ａと反対方向に取り出す際に、ＨＤＤ３に係合して収容凹部２の底面２ｅに対するＨＤＤ３の傾斜角度を所定値以下に規制するものであり、図３に示すように、収容凹部２の底面２ｅから所定量だけ突設された基部２８と、該基部２８からコネクタ４側とは反対方向に該コネクタ４に対するＨＤＤ３の端子部７の挿抜距離Ｌ１と略等しい量だけ延びた係止部２９とを備え、係止部２９がＨＤＤ３の取付部材９に設けられた係合穴１１の縁部１１ａに係合してＨＤＤ３の傾斜角度を規制するように成っている。
【００３０】
収容凹部２の上部を覆って、図２に示すように、カバー６が設けられている。このカバー６は、収容凹部２に収容されたＨＤＤ３を保護するものであり、一本のねじ３１で機器本体１に固定されるように成っている。
【００３１】
次に、このように構成されたノートパソコンのＨＤＤ３の端子部７と収容凹部２のコネクタ４との嵌合手順について、図９〜図１２を参照して説明する。
先ず、図１（ｂ）に示すように、ノートパソコンが裏返しにされた後、ねじ３１を外してカバー６が取り外される。次に、図９に示すように、ＨＤＤ３が端子部７側を先頭にして収容凹部２の底面２ｅに対して斜め矢印Ａ方向に挿入される。このとき、ＨＤＤ３の端子部７がコネクタ４に当接すると、図１０に示すように、ＨＤＤ３の挿入方向後端部３ｂを一旦矢印Ｂ方向に下げて、収容凹部２に設けられた角度規制手段５の先端部をＨＤＤ３の取付部材９に設けられた係合穴１１内に挿入させる。そして、その後、ＨＤＤ３をさらに矢印Ａ方向に挿入する。これにより、図１１に示すように、角度規制手段５の係止部２９が取付部材９の係合穴１１の縁部１１ａに係合して、ＨＤＤ３の傾斜角度が同図に示す角度θ以内に規制されることになる。因みに、図９乃至図１２は、図３と同様に、本来ならば、ＨＤＤ３に隠されて見えない角度規制手段５及び係合穴１１が、便宜上、透過して見えるように表されている。
【００３２】
角度規制手段５の係止部２９を取付部材９の係合穴１１の縁部１１ａに係止させた状態でＨＤＤ３をさらに矢印Ａ方向に挿入すると、図１１に示すようにＨＤＤ３の端子部７がコネクタ４に嵌合し、同時にコネクタ４の保持部材１８が固定片２０側を支点として角度θだけ回動する。このとき、保持部材１８の下端部に設けられた回動角規制片２２が収容凹部２の回動規制穴２７の縁部に当接して保持部材１８の回動角度が角度θに規制される。
【００３３】
このようにして、ＨＤＤ３の端子部７がコネクタ４に対して完全に嵌合されると、図１１に示すようにＨＤＤ３の挿入方向後端部３ｂが矢印Ｃ方向に下げられ、図１２に示すようにＨＤＤ３の底面が収容凹部２の底面２ｅに対して平行にされる。そして、取付部材９の二対の突出片１２がねじ３０によって機器本体１に締結されてＨＤＤ３の取り付けが完了する。その後、収容凹部２を覆ってカバー６が取り付けられ、該カバー６がねじ３１により機器本体１に固定される。
【００３４】
なお、ＨＤＤ３を取り外すときには、上述と反対の手順に従って行なえばよい。この場合、ＨＤＤ３の後端部３ｂを収容凹部２の底面から引き起こす際に、取付部材９の係合穴１１の縁部１１ａが角度規制手段５の係止部２９に係合してＨＤＤ３の傾斜角度の上限が角度θに規制されるので、ＨＤＤ３を引き起こし過ぎてＨＤＤ３の端子部７又はコネクタ４が破損するおそれがない。また、コネクタ４の保持部材１８の回動角規制片２２が収容凹部２の底面２ｅに設けられた回動規制穴２７の縁部に当接して保持部材１８の回動が規制されるので、コネクタ４からＨＤＤ３の端子部７の抜き取りが容易になる。
【００３５】
図１３は角度規制手段の変形例を示す図であり、（ａ）はノートパソコンを裏返して裏側から見た要部拡大底面図、（ｂ）は（ａ）のＸ−Ｘ線断面図である。なお、ここでは、ＨＤＤ３が１台の場合について示している。この角度規制手段は、同図（ａ）に示すように、収容凹部２へのＨＤＤ３の収容又は取出し方向（矢印Ａ方向又はその反対方向）に平行な収容凹部２の両側壁２ｂ，２ｄに設けられ、上記収容又は取出し方向に平行な取付部材９の両側部から外方に突設された一対のガイド片３２に係合してＨＤＤ３の傾斜角度を規制するガイド部３３である。
【００３６】
より具体的には、角度規制手段は、図１３（ａ）に示す収容凹部２の矢印Ａに平行な両側壁２ｂ，２ｄに、同図（ｂ）に示すように略クランク形状に折れ曲がって形成された溝状のガイド部３３である。そして、同図においてガイド部３３の上端縁部３３ａは、収容凹部２の底面２ｅから所定の高さ位置に矢印Ａ方向とは反対方向に所定量（例えば、挿抜距離Ｌ１）だけ水平に延びて形成されている。また、該ガイド部３３の矢印Ａ方向と反対側の一方端３３ｂは、収容凹部２の開口部に面しており、他方端３３ｃは、収容凹部２の底面２ｅと同位置となるようにされている。なお、ガイド部３３の上端縁部３３ａは水平でなく矢印Ａ方向とは反対側の部分が高くなるように所定角度で傾斜していてもよい。また、ガイド部３３は、溝でなく上記上端縁部３３ａに対応する位置に設けられた突出片であってもよい。
【００３７】
このような角度規制手段を使用した場合には、例えばＨＤＤ３の取り外し手順は、図１３（ｂ）に矢印で示すようにして行なう。即ち、先ず、取付部材９のガイド片３２がガイド部３３の上端縁部３３ａに当接する位置までＨＤＤ３の後端部３ｂを矢印Ｄ方向に引き起こし、次にガイド部３３の上端縁部３３ａに沿ってＨＤＤ３を矢印Ｅ方向に引っ張り、ＨＤＤ３の端子部７をコネクタ４から引き抜く。そして、上記ガイド片３２がガイド部３３の上端縁部３３ａから外れてガイド部３３の一方端３３ｂに至るとＨＤＤ３の後端部３ｂを矢印Ｆ方向に引き上げてＨＤＤ３を収容凹部２から取り去る。
【００３８】
なお、上記実施形態においては、保持部材１８の自由端に設けられた回動角規制片２２が収容凹部２の底面２ｅに設けられた回動規制穴２７に挿入されて、保持部材１８の回動角度が規制されるようになっている場合について説明したが、本発明はこれに限られず、上記自由端に回動角規制片２２を設けず、回動自由としてもよい。
【００３９】
また、上記実施形態においては、ＨＤＤ３の取付部材９に設けられた係合穴１１の縁部１１ａ又はガイド片３２を角度規制手段５に係合させてＨＤＤ３の傾斜角度を規制する場合について説明したが、電子部品に一体的に形成された係合穴の縁部又はガイド片を角度規制手段５に係合させてＨＤＤ３の傾斜角度を規制してもよい。
【００４０】
さらに、上記実施形態においては、コネクタ４がＨＤＤ３の端子部７と水平方向に嵌合する汎用のコネクタである場合について説明したが、本発明はこれに限られず、電子部品の端子部と斜め方向に嵌合可能にされ、嵌合後は電子部品を収容凹部２の底面２ｅに水平に倒すことができるような特殊構造のコネクタであってもよい。
【００４１】
さらにまた、上記実施形態においては、電子部品がＨＤＤ３である場合について説明したが、本発明はこれに限られず、収容凹部２の大きさが制限されて電子部品の端子部をコネクタに対して水平に挿抜することができないものであればＤＶＤドライブやその他の如何なる電子部品であってもよい。
【００４２】
そして、上記実施形態においては、電子機器がノートパソコンである場合について述べたが、本発明はこれに限られず、如何なる電子機器であってもよい。
【図面の簡単な説明】
【００４３】
【図１】本発明による電子機器の実施形態を示す斜視図であり、（ａ）は表面側から見た図、（ｂ）は裏返して裏面側から見た図である。
【図２】本発明の電子機器を裏返して裏面側から見た斜視図であり、収容凹部に収容される電子部品及びそのカバーの関係を分解して示した説明図である。
【図３】本発明の電子機器に使用されるＨＤＤが収容凹部に収容された状態を示す図２のＸ矢視断面図である。
【図４】上記ＨＤＤを示す三面図であり、（ａ）は正面図、（ｂ）は左側面図、（ｃ）は底面図である。
【図５】上記ＨＤＤを保持する取付部材の構成を示す三面図であり、（ａ）は平面図、（ｂ）は右側面図、（ｃ）は正面図である。
【図６】本発明の電子機器に使用されるコネクタの構成を示す四面図であり、（ａ）は正面図、（ｂ）は右側面図、（ｃ）は平面図、（ｄ）は底面図である。
【図７】上記ＨＤＤのガイド凹部とコネクタのガイド凸部との嵌合について示す説明図である。
【図８】上記コネクタを保持する保持部材の構成を示す三面図であり、（ａ）は正面図、（ｂ）は右側面図、（ｃ）は底面図である。
【図９】上記ＨＤＤの端子部とコネクタとの嵌合手順を示す説明図であり、ＨＤＤを収容凹部に斜めに挿入する過程を示す図である。
【図１０】上記ＨＤＤを収容凹部に収容する手順を示す説明図であり、ＨＤＤの保持部材に設けられた係合穴の縁部を角度規制手段に係合させる過程を示す図である。
【図１１】上記ＨＤＤを収容凹部に収容する手順を示す説明図であり、ＨＤＤの端子部とコネクタとの嵌合が終了した過程を示す図である。
【図１２】上記ＨＤＤを収容凹部に収容する手順を示す説明図であり、ＨＤＤが収容凹部に収容された最終過程を示す図である。
【図１３】上記角度規制手段の変形例を示す図であり、（ａ）は電子機器を裏返して裏側から見た要部拡大底面図、（ｂ）は（ａ）のＹ−Ｙ線断面図である。
【符号の説明】
【００４４】
１…機器本体
２…収容凹部
２ａ〜２ｄ…側壁
２ｅ…底面
３…ＨＤＤ（電子部品）
４…コネクタ
５…角度規制手段
９…取付部材
１１…係合穴
１１ａ…係合穴の縁部
１８…保持部材
２７…回動規制穴
２８…基部
２９…係止部
３２…ガイド片
３３…ガイド部（角度規制手段）
【図１】
2008277224.tif 000003
【図２】
2008277224.tif 000004
【図３】
2008277224.tif 000005
【図４】
2008277224.tif 000006
【図５】
2008277224.tif 000007
【図６】
2008277224.tif 000008
【図７】
2008277224.tif 000009
【図８】
2008277224.tif 000010
【図９】
2008277224.tif 000011
【図１０】
2008277224.tif 000012
【図１１】
2008277224.tif 000013
【図１２】
2008277224.tif 000014
【図１３】
2008277224.tif 000015